(57)【要約】【課題】非画像コード形式で記述されたリンクを外部装置において利用可能とする「放送受信装置」を提供する。【解決手段】表示すべきページ（ａ）がハイパーリンクが設定された表示オブジェクトを含んでいる場合、表示オブジェクトに設定されている各ハイパーリンクについて、ハイパーリンクのリンク先として設定されているＵＲＬを表す二次元コードを生成する。そして、各表示オブジェクトを、生成した二次元コードと共に配置した、ページの表示画面３０３を生成する（ｃ）。ここで、ページの表示画面３０３において、各二次元コードは、当該二次元コードが表すＵＲＬがハイパーリンクとして設定されている表示オブジェクトの下に配置する。【選択図】図３
2009071579.tif 000002
【特許請求の範囲】
【請求項１】
外部リソースのＵＲＬをリンク先とするリンクが設定された表示オブジェクトを規定するデータを放送するデータ放送を受信する放送受信装置であって、
前記データ放送で受信した表示オブジェクトに設定されたリンクのリンク先のＵＲＬを表す二次元コードを生成する二次元コード生成手段と、
前記データ放送で受信した表示オブジェクトを、前記二次元コード生成手段が生成した二次元コードと共に表示するデータ放送表示手段とを有することを特徴とする放送受信装置。
【請求項２】
外部リソースのＵＲＬをリンク先とするリンクが設定された表示オブジェクトを規定するデータを放送するデータ放送を受信する放送受信装置であって、
移動電話機と選択的に接続する移動電話機接続手段と、
前記データ放送で受信した表示オブジェクトを表示するデータ放送表示手段と、
前記データ放送表示手段によって表示された表示オブジェクトが、ユーザによって選択操作されたときに、当該表示オブジェクトに設定されたリンクのリンク先のＵＲＬを前記移動電話機接続手段に接続している移動電話機に転送するＵＲＬ転送手段とを有することを特徴とする放送受信装置。
【請求項３】
外部リソースのＵＲＬをリンク先とするリンクが設定された表示オブジェクトを規定するデータを放送するデータ放送を受信する放送受信装置であって、
前記データ放送で受信した表示オブジェクトを表示するデータ放送表示手段と、
ユーザの記録要求操作に応じて、前記データ放送手段が表示中の表示オブジェクトを規定するデータを記録する記録手段と、
ユーザの記録データ呼出操作に応じて、前記記録手段が記録したデータが規定する表示オブジェクトに設定されたリンクのリンク先のＵＲＬを表す二次元コードを生成し、当該データが規定する表示オブジェクトを、生成した二次元コードと共に表示する記録データ表示手段とを有することを特徴とする放送受信装置。
【請求項４】
外部リソースのＵＲＬをリンク先とするリンクが設定された表示オブジェクトを規定するデータを放送するデータ放送を受信する放送受信装置であって、
移動電話機と選択的に接続する移動電話機接続手段と、
前記データ放送で受信した表示オブジェクトを表示するデータ放送表示手段と、
ユーザの記録要求操作に応じて、前記データ放送手段が表示中の表示オブジェクトを規定するデータを記録する記録手段と、
ユーザの記録データ呼出操作に応じて、前記記録手段が記録したデータが規定する表示オブジェクトを表示する記録データ表示手段と、
前記記録データ表示手段によって表示された表示オブジェクトが、ユーザによって選択操作されたときに、当該表示オブジェクトに設定されたリンクのリンク先のＵＲＬを前記移動電話機接続手段に接続している移動電話機に転送するＵＲＬ転送手段とを有することを特徴とする放送受信装置。
【請求項５】
請求項１、２、３または４記載の放送受信装置であって、
当該放送受信装置は、自動車に搭載され、デジタルＴＶ放送を受信するものであることを特徴とする放送受信装置。
【発明の詳細な説明】
【技術分野】
【０００１】
本発明は、主として、インターネット上のＷｅｂページなどの外部リソースへのリンク情報を含むデータを放送するデータ放送を受信する放送受信装置に関するものである。
【背景技術】
【０００２】
インターネット上のＷｅｂページなどの外部リソースへのリンク情報を含むデータを扶桑するデータ放送に関する技術としては、外部リソースのＵＲＬを表すＱＲコード（「ＱＲコード」は株式会社デンソーウェーブの登録商標）等の二次元コードをデータ放送に含めて放送し、当該放送を受信した放送受信装置において、受信した二次元コードを表示する技術が知られている（たとえば、特許文献１）。また、このような放送を受信した放送受信装置において、当該放送受信装置に接続された携帯端末に受信した二次元コードを転送する技術なども知られている（たとえば、特許文献２）。
【特許文献１】特開2005-176287号公報
【特許文献２】特開2006-246056号公報
【発明の開示】
【発明が解決しようとする課題】
【０００３】
放送受信装置において受信した二次元コードを表示する技術によれば、当該放送受信装置が外部リソースへアクセスする機能を備えていない場合にも、二次元コードリーダを備えた移動電話機を用いて、当該放送受信装置によって表示された二次元コードを撮影することにより、当該移動電話機から当該二次元コードが表すＵＲＬの外部リソースを利用することができるようになる。
【０００４】
しかしながら、外部リソースへのリンク情報が、データ放送にハイパーリンク等の非表示の形態で含まれている場合には、この技術では、このリンク情報を移動電話機によって利用することができない。
そこで、本発明は、受信したデータ放送に、外部リソースへのリンク情報が非画像コード形式で含まれている場合にも、当該リンク情報を外部装置において利用可能とすることができる放送受信装置を提供することを課題とする。
【課題を解決するための手段】
【０００５】
前記課題達成のために、本発明は、外部リソースのＵＲＬをリンク先とするリンクが設定された表示オブジェクトを規定するデータを放送するデータ放送を受信する放送受信装置に、前記データ放送で受信した表示オブジェクトに設定されたリンクのリンク先のＵＲＬを表す二次元コードを生成する二次元コード生成手段と、前記データ放送で受信した表示オブジェクトを、前記二次元コード生成手段が生成した二次元コードと共に表示するデータ放送表示手段とを備えたものである。
【０００６】
このような放送受信装置によれば、データ放送で受信した表示オブジェクトに外部リソースへのリンクが設定されている場合には、当該リンクのリンク先のＵＲＬを表す二次元コードが自動的に生成されて、表示オブジェクトと共に表示されるので、ユーザは、データ放送に外部リソースへのリンク情報が画像形式で含まれていない場合でも、Ｗｅｂブラウザ等の外部リソースへのアクセス機能と二次元コードリーダとを備えた移動電話機を用いて、当該表示された二次元コードを撮影し二次元コードが表すＵＲＬにアクセスすることにより、当該リンクのリンク先のＵＲＬの外部リソースを利用することができる。
【０００７】
また、前記課題達成のために、本発明は、外部リソースのＵＲＬをリンク先とするリンクが設定された表示オブジェクトを規定するデータを放送するデータ放送を受信する放送受信装置に、移動電話機と選択的に接続する移動電話機接続手段と、前記データ放送で受信した表示オブジェクトを表示するデータ放送表示手段と、前記データ放送表示手段によって表示された表示オブジェクトが、ユーザによって選択操作されたときに、当該表示オブジェクトに設定されたリンクのリンク先のＵＲＬを前記移動電話機接続手段に接続している移動電話機に転送するＵＲＬ転送手段とを備えたものである。
【０００８】
このような放送受信装置によれば、データ放送で受信した表示オブジェクトに外部リソースへのリンクが設定されている場合には、当該表示オブジェクトに対するユーザの操作に応じて、当該リンクのリンク先のＵＲＬが自動的に移動電話機に転送されるので、ユーザは、データ放送に外部リソースへのリンク情報が画像形式で含まれていない場合でも、Ｗｅｂブラウザ等の外部リソースへのアクセス機能を備えた移動電話機を用いて、当該転送されたＵＲＬにアクセスすることにより、当該リンクのリンク先のＵＲＬの外部リソースを利用することができる。
【０００９】
また、前記課題達成のために本発明は、外部リソースのＵＲＬをリンク先とするリンクが設定された表示オブジェクトを規定するデータを放送するデータ放送を受信する放送受信装置に、前記データ放送で受信した表示オブジェクトを表示するデータ放送表示手段と、ユーザの記録要求操作に応じて、前記データ放送手段が表示中の表示オブジェクトを規定するデータを記録する記録手段と、ユーザの記録データ呼出操作に応じて、前記記録手段が記録したデータが規定する表示オブジェクトに設定されたリンクのリンク先のＵＲＬを表す二次元コードを生成し、当該データが規定する表示オブジェクトを、生成した二次元コードと共に表示する記録データ表示手段とを設けたものである。また、本発明は、前記課題達成のために、外部リソースのＵＲＬをリンク先とするリンクが設定された表示オブジェクトを規定するデータを放送するデータ放送を受信する放送受信装置に、移動電話機と選択的に接続する移動電話機接続手段と、前記データ放送で受信した表示オブジェクトを表示するデータ放送表示手段と、ユーザの記録要求操作に応じて、前記データ放送手段が表示中の表示オブジェクトを規定するデータを記録する記録手段と、ユーザの記録データ呼出操作に応じて、前記記録手段が記録したデータが規定する表示オブジェクトを表示する記録データ表示手段と、前記記録データ表示手段によって表示された表示オブジェクトが、ユーザによって選択操作されたときに、当該表示オブジェクトに設定されたリンクのリンク先のＵＲＬを前記移動電話機接続手段に接続している移動電話機に転送するＵＲＬ転送手段とを備えたものである。
【００１０】
これらの放送受信装置によれば、データ放送で受信した表示オブジェクトに外部リソースへのリンクが設定されている場合に、当該表示オブジェクトを規定するデータを記憶しておいて後に呼び出して利用することができる。したがって、当該表示オブジェクトを規定するデータを受信したときに、ユーザが、当該外部リソースに直ちにアクセスできない状況にある場合でも、当該表示オブジェクトのデータを記憶しておくことにより、当該ユーザは、後に、当該記憶したデータを用いて外部リソースにアクセスすることができるようになる。また、データ放送に外部リソースへのリンク情報が画像形式で含まれていない場合でも、上述した放送受信装置同様に、当該外部リソースを利用することができる。
【００１１】
なお、以上の各放送受信装置は、自動車に搭載される、デジタルＴＶ放送を受信する放送受信装置であってよい。
【発明の効果】
【００１２】
以上のように、本発明によれば、受信したデータ放送に、外部リソースへのリンク情報が非画像コード形式で含まれている場合にも、当該リンク情報を外部装置において利用可能とすることができる放送受信装置を提供することができる。
【発明を実施するための最良の形態】
【００１３】
以下、本発明の実施形態を説明する。
図１に本実施形態に係る放送受信装置の構成を示す。
ここで、本放送受信装置は、自動車に搭載される放送受信装置であり、データ放送を伴う地上デジタルＴＶ放送を受信する。
さて、図示するように、放送受信装置１は、アンテナ１０１、フロントエンド部（ＦＥ）１０２、復調/多重分離部１０３、ＭＰＥＧデコーダ１０４、ＢＭＬブラウザ１０５、合成部１０６、表示装置１０７、アンプやスピーカなどを備えた音声出力装置１０８、制御部１０９、リモートコントローラ１１０、メモリ１１１、近距離無線通信または有線通信によって移動電話機２と接続する移動電話機インタフェース１１２とを備えている。
【００１４】
このような構成において、フロントエンド部１０２は、制御部１０９から受信チャネルとして指定された周波数チャネルで放送されているＴＶ放送とデータ放送とを受信し、受信信号を復調/多重分離部１０３に出力する。復調/多重分離部１０３は、入力するＴＶ放送の受信信号の復調／復号処理を行ってＴＳ（Transport Stream）を復元して、復元したＴＳ中のＴＶ放送のデータである映像及び音声データをＭＰＥＧデコーダ１０４に送ると共に、復元したＴＳ中のデータ放送のデータであるＢＭＬページデータをＢＭＬブラウザ１０５に送る。
【００１５】
ここで、データ放送では、ページをＢＭＬ (Broadcast Markup Language) で記述したＢＭＬページデータが放送されており、当該ページには、テキストや画像などの表示オブジェクトを配置することができる。また、各表示オブジェクトに対して、インターネット上のＷｅｂページなどの外部リソースのＵＲＬへのハイパーリンクを非表示オブジェクトの形態で定義することができる。
【００１６】
さて、ＭＰＥＧデコーダ１０４は、受け取ったＴＶ放送のデータである映像及び音声データをデコードし、デコードした映像信号と音声信号を合成部１０６に送る。また、ＢＭＬブラウザ１０５はＢＭＬページデータをデコードして描画したページを合成部１０６に送ると共に、当該ページによって出力が規定された音声を合成部１０６に送る。
【００１７】
そして、合成部１０６は、ＭＰＥＧデコーダ１０４から送られた映像とＢＭＬブラウザ１０５から送られたページを合成して表示装置１０７に表示し、ＭＰＥＧデコーダ１０４から送られた音声とＢＭＬブラウザ１０５から送られた音声を合成して音声出力装置１０８から出力する。
【００１８】
そして、制御部１０９は、リモートコントローラ１１０で受け付けたユーザ操作等に応じて、以上各部の動作を制御する。
次に、本実施形態で用いる移動電話機２は、携帯電話などとも呼称される携帯型の電話端末装置であり、図示するように、公衆通信網３との間の無線通信を行う無線通信部２０１、カメラ２０２、入力装置２０３、表示部２０４、音声処理部２０５、スピーカ２０６、マイクロフォン２０７、Ｗｅｂブラウザ２０８、二次元コードリーダ２０９、放送受信装置１その他の外部装置と近距離無線通信または有線通信を介して接続するための外部インタフェース２１０、以上各部を制御するコントローラ２１１とを備えている。
【００１９】
ここで、このような移動電話機２を用いて、ユーザは、ＱＲコード（「ＱＲコード」は株式会社デンソーウェーブの登録商標）等の二次元コードのデコード、電話通信、Ｗｅｂ閲覧を行うことができる。
ここで、二次元コードのデコードは、ユーザの入力装置２０３に対する所定の操作に応じて、カメラ２０２で撮影した二次元コードを、二次元コードリーダ２０９でテキスト情報に変換することにより行われる。
また、電話通信は、次のように行われる。すなわち、入力装置２０３を用いたユーザの電話発呼操作や、公衆通信網３からの電話着呼時のユーザの入力装置２０３に対するオフフック操作に応じて、コントローラ２１１は、無線通信部２０１を介して、所定の呼接続手順を公衆通信網３との間で実行し、通信相手との間の呼を確立する。そして、通信相手との間の呼を確立したならば、コントローラ２１１は、各部を制御し、公衆通信網３を介して通信相手から無線通信部２０１で受信した音声データを、音声処理部２０５でアナログ音声に復号しスピーカ２０６に出力すると共に、マイクロフォン２０７から入力した音声を、音声処理部２０５で音声データに符号化し、無線通信部２０１から公衆通信網３を介して通信相手に送信する。
【００２０】
次に、Ｗｅｂ閲覧は、Ｗｅｂブラウザ２０８が、表示部２０４に表示したＷｅｂブラウザ画面上でユーザから指定されたＵＲＬや、Ｗｅｂブラウザ画面上に表示したＷｅｂページ上でユーザから指定された表示オブジェクトにハイパーリンクとして定義されているインターネット上のＵＲＬに、コントローラ２１１、無線通信部２０１、公衆通信網３を介してアクセスし、当該ＵＲＬへのアクセスに対して当該ＵＲＬが所属するＷｅｂサーバから提供されるＷｅｂページをダウンロードして表示部２０４に表示することにより行われる。ここで、ユーザは、このようにＷｅｂブラウザ２０８によってアクセスするＵＲＬとして、二次元コードから二次元コードリーダ２０９がデコードしたテキスト情報が表すＵＲＬや、外部インタフェース２１０を介して外部から転送されたＵＲＬを指定することもできる。
【００２１】
さて、このような構成において、放送受信装置１のＢＭＬブラウザ１０５は、ＢＭＬページデータをデコードしたページの描画を図２に示すページ描画処理によって行う。
すなわち、この処理では、新たに表示すべきページが発生したならば（ステップ２０２）、移動電話機インタフェース１１２に移動電話機２が接続されているかどうかを調べ（ステップ２０４）、接続されていれば、ＢＭＬページデータに従って当該ページを描画し（ステップ２２２）、ステップ２０２に戻って、次回の新たに表示すべきページの発生を待つ。
【００２２】
一方、新たに表示すべきページが発生したときに（ステップ２０２）、移動電話機インタフェース１１２に移動電話機２が接続されていない場合には（ステップ２０４）、ページに含まれるテキストや画像などの各表示オブジェクトについて（ステップ２０６、２１６、２１８）、以下の処理を行う。
【００２３】
すなわち、その表示オブジェクトにインターネット上のＷｅｂページなどの外部リソースのＵＲＬをリンク先とするハイパーリンクが設定されているかどうかを調べ（ステップ２０８）、設定されていなければ、ＢＭＬページデータに従って当該表示オブジェクトを描画し（ステップ２２０）、当該表示オブジェクトについての処理を終える。
【００２４】
一方、その表示オブジェクトに外部リソースのＵＲＬをリンク先とするハイパーリンクが設定されている場合には（ステップ２０８）、まず、その表示オブジェクトを、当該表示オブジェクトに対するハイパーリンクの設定を解除した上で描画する（ステップ２１０）。そして、当該表示オブジェクトに設定されていたハイパーリンクのリンク先のＵＲＬを表すＱＲコード（「ＱＲコード」は株式会社デンソーウェーブの登録商標）等の二次元コードを生成し（ステップ２１２）、生成した二次元コードをステップ２１０で描画した表示オブジェクトの下の位置に描画する（ステップ２１４）。そして、当該表示オブジェクトについての処理を終える。
【００２５】
以上、送受信装置のＢＭＬブラウザ１０５が行うページ描画処理について説明した。
このようなページ描画処理によれば、たとえば、表示すべきページが、ＢＭＬページデータによって、図３ａのように定義されている場合には、次のように、当該ページの表示が行われる。なお、図３ａにおいて、ａ１がＢＭＬページデータが定義に従って表示オブジェクトを配置したページの表示画面であり、ａ２はページ中の表示オブジェクトに対してＢＭＬページデータによってハイパーリンクのリンク先として設定されているＵＲＬを表している。
【００２６】
さて、表示すべきページがＢＭＬページデータによって図３ａのように定義されている場合、移動電話機２が接続されているときには、ＢＭＬページデータによって定義されている通りに表示オブジェクトを配置したページの表示画面３０１が、図３ｂに示すように、ＴＶ放送で受信した映像３０２と合成部１０６で合成されて表示装置１０７に表示される。
【００２７】
なお、図３ｂのページの表示画面３０１中におけるテキストの下線は、当該テキストにハイパーリンクが設定されていることを表すためにＢＭＬブラウザ１０５によって描画される。
一方、表示すべきページがＢＭＬページデータによって図３ａのように定義されている場合、移動電話機２が接続されていないときには、図３ｃに示すように、表示オブジェクトに設定されている各ハイパーリンクについて、ハイパーリンクのリンク先として設定されているＵＲＬを表す二次元コードを生成し、各表示オブジェクトを、生成した二次元コードと共に配置した、ページの表示画面３０３を生成する。ここで、ページの表示画面３０３において、各二次元コードは、当該二次元コードが表すＵＲＬがハイパーリンクとして設定されていた表示オブジェクトの下に配置する。
【００２８】
そして、図３ｄに示すように、生成したページの表示画面３０３が、ＴＶ放送で受信した映像３０２と合成部１０６で合成されて表示装置１０７に表示される。
そして、この結果、ユーザは、移動電話機２を用いて、カメラ２０２で表示装置１０７に表示された二次元コードを撮影し、二次元コードリーダ２０９で二次元コードをデコードし、デコードしたＵＲＬにＷｅｂブラウザ２０８等でアクセスすることにより、データ放送で放送された表示オブジェクトに設定されているハイパーリンクのリンク先の外部リソースを利用することができるようになる。
【００２９】
さて、図３ｂ、ｄに示すようにページの表示画面を表示しているときには、ＢＭＬブラウザ１０５は、図４に示す表示オブジェクト選択時処理も行う。
すなわち、この処理において、ＢＭＬブラウザ１０５は、リモートコントローラ１１０を介してユーザによって、ページ３０１の表示画面上で、図５ａに示すように、表示オブジェクトが選択されたならば（ステップ４０２）、選択された表示オブジェクトに対して、ＢＭＬページデータによって外部リソースのＵＲＬをリンク先とするハイパーリンクが設定されているかどうかを調べ（ステップ４０４）、設定されていない場合には、選択された表示オブジェクトによってＢＭＬページデータによって定義されている処理を行い（ステップ４１０）、ステップ４０２に戻って表示オブジェクトの次の選択を待つ。ただし、処理が定義されていない場合には、そのままステップ４０２に戻って表示オブジェクトの次の選択を待つ。
【００３０】
一方、選択された表示オブジェクトに対して外部リソースのＵＲＬをリンク先とするハイパーリンクが設定されている場合には（ステップ４０４）、移動電話機インタフェース１１２に移動電話機２が接続されているかどうかを調べ（ステップ４０６）、接続されている場合には、当該選択された表示オブジェクトに設定されているハイパーリンクのリンク先のＵＲＬを移動電話機インタフェース１１２を介して移動電話機２に転送する（ステップ４０８）。そして、ステップ４０２に戻って表示オブジェクトの次の選択を待つ。一方、移動電話機２が接続されていない場合には（ステップ４０６）、そのままステップ４０２に戻って表示オブジェクトの次の選択を待つ。
【００３１】
以上、ＢＭＬブラウザ１０５が行うリンク表示オブジェクト選択時処理について説明した。
このようなリンク表示オブジェクト選択時処理によれば、ユーザは、ページの表示画面上で、外部リソースのＵＲＬをリンク先とするハイパーリンクが設定されている表示オブジェクトを選択することにより、当該ＵＲＬを移動電話機２に転送することができると共に、当該移動電話機２において、転送されたＵＲＬにＷｅｂブラウザ２０８等でアクセスすることにより、データ放送で放送された表示オブジェクトに設定されているハイパーリンクのリンク先の外部リソースを利用することができるようになる。
【００３２】
次に、ＢＭＬブラウザ１０５が行うページ記録処理と記録ページ呼出処理について説明する。
ＢＭＬブラウザ１０５は、データ放送で受信したＢＭＬページデータに従ってページの表示画面を図３ｂ、ｄに示すように表示する際に、併せて、記録ボタン３１１と呼出ボタン３１２を表示する。
そして、記録ボタン３１１がリモートコントローラ１１０を介してユーザから操作されたならば、表示中のページのＢＭＬページデータを、映像を表示中のＴＶ放送の番組名と当該番組の映像を表示中に記録したページのシリアル番号とをタイトルとして与えてメモリ１１１に記憶する。
【００３３】
一方、呼出ボタン３１２がリモートコントローラ１１０を介してユーザから操作されたならば、メモリ１１１に記録しているＢＭＬページデータの選択を受け付けるための、たとえば図５ｂに示すような選択画面３２０を表示装置１０７に表示し、当該選択画面３２０上で呼び出すページの選択を受け付ける。図５ｂに示した例では、記録したＢＭＬページデータのタイトルに含まれる番組名の一覧を表示し、決定ボタン３２１が操作されたときに一覧中で選択されている番組名をタイトルとして持つＢＭＬページデータのセットを、呼び出すページのセットとして受け付ける。なお、図５ｂに示した例において、戻るボタン３２２が操作された場合には、選択画面表示前の図３ｂ、ｄに示す表示に復帰する。
【００３４】
さて、図５ｂの選択画面３２０で、呼び出すページの選択を受け付けたならば、選択を受け付けたＢＭＬページデータを、図３のページ描画処理によって、移動電話機２が接続されている場合にはハイパーリンクを表示オブジェクトに設定した形態で、移動電話機２が接続されていない場合にはハイパーリンクのＵＲＬを表す二次元コードを含めた形態で図５ｃに示すように表示する。図５ｃは、図５ｂの選択画面３２０で番組名の選択を受け付けた場合のページの表示例を示すものであり、図５ｂの選択画面３２０で選択された番組名をタイトルとして持つシリアル番号が先頭のＢＭＬページデータのページ３３０を表示したようすを示している。また、この図５ｃの例では、次ページボタン３２４の選択に応じて、表示中のＢＭＬページデータと同じ番組名をタイトルに持つＢＭＬページデータの内の表示中のＢＭＬページデータのシリアル番号の次のシリアル番号をタイトルに持つＢＭＬページデータのページを表示し、前ページボタン３２５の選択に応じて、表示中のＢＭＬページデータと同じ番組名をタイトルに持つＢＭＬページデータの内の表示中のＢＭＬページデータのシリアル番号の前のシリアル番号をタイトルに持つＢＭＬページデータのページを表示するようにしている。また、戻るボタン３２３が操作された場合には、図５ｂの選択画面表示に復帰するようにしている。
【００３５】
なお、図５ｃのように記録されているＢＭＬページデータのページの表示中も、ＢＭＬブラウザ１０５は、図４に示した表示オブジェクト選択時処理を行い、移動電話機２が接続されているときには、ユーザの表示オブジェクトの選択装置に応じて、ハイパーリンクのリンク先のＵＲＬを移動電話機２に転送する。
【００３６】
以上、このようなＢＭＬブラウザ１０５が行うページ記録処理と記録ページ呼出処理によれば、データ放送で受信した表示オブジェクトに外部リソースへのハイパーリンクが設定されている場合に、当該表示オブジェクトを規定するデータを記憶しておいて後に呼び出して利用することができるので、当該表示オブジェクトを規定するデータを受信したときに、運転中であるなどの理由により、当該外部リソースに直ちにアクセスできない状況にある場合でも、当該データを記憶しておくことにより、後に、当該記憶したデータを用いて外部リソースにアクセスすることができるようになる。
【００３７】
なお、以上の実施形態で示した、ハイパーリンクのリンク先のＵＲＬを二次元コードに変換して表示したり、当該ＵＲＬを接続した移動電話機２に転送したり、当該ＵＲＬを記録して後に利用できるようにする技術は、たとえば、字幕放送などにおいて、字幕のテキスト等に対してリンク先のＵＲＬが設定されている場合にも同様に適用することができる。
【図面の簡単な説明】
【００３８】
【図１】本発明の実施形態に係る放送受信装置の構成を示すブロック図である。
【図２】本発明の実施形態に係る表示オブジェクト選択時処理を示すフローチャートである。
【図３】本発明の実施形態に係る放送受信装置の表示例を示す図である。
【図４】本発明の実施形態に係る表示オブジェクト選択時処理を示すフローチャートである。
【図５】本発明の実施形態に係る放送受信装置の表示例を示す図である。
【符号の説明】
【００３９】
１…放送受信装置、２…移動電話機、３…公衆通信網、１０１…アンテナ、１０２…フロントエンド部、１０３…復調/多重分離部、１０４…ＭＰＥＧデコーダ、１０５…ＢＭＬブラウザ、１０６…合成部、１０７…表示装置、１０８…音声出力装置、１０９…制御部、１１０…リモートコントローラ、１１１…メモリ、１１２…移動電話機インタフェース、２０１…無線通信部、２０２…カメラ、２０３…入力装置、２０４…表示部、２０５…音声処理部、２０６…スピーカ、２０７…マイクロフォン、２０８…Ｗｅｂブラウザ、２０９…二次元コードリーダ、２１０…外部インタフェース、２１１…コントローラ。
【図１】
2009071579.tif 000003
【図２】
2009071579.tif 000004
【図３】
2009071579.tif 000005
【図４】
2009071579.tif 000006
【図５】
2009071579.tif 000007